(57)【要約】【課題】足裏に苦痛をともなわず適度な刺激を長時間にわたって与えることができ、足裏の指圧機能を十分に発揮し得るマッサージ用健康器具を提供する。【解決手段】マッサージ用健康器具１は、表面に大小複数個の突起３が突設された足踏み板２を備えている。足踏み板２は、硬度がＪＩＳ（ショアＡ）６０±５°のゴムによって形成されている。突起３は、截頭円錐形で、硬度が上方に向かって段階的に高くなっている（ＪＩＳ（ショアＡ）７０〜９０°）。さらに、足踏み板２には、表裏面に貫通する複数の水切り用貫通孔１０Ａ、１０Ｂが形成され、裏面には滑り防止部が設けられ、内部には合繊布が埋設されている。【選択図】  図１
2011161163.tif 000002
【特許請求の範囲】
【請求項１】
表面に複数個の突起が突設された足踏み板を備え、
前記足踏み板を弾性材料によって形成し、前記突起の硬度をＪＩＳ（ショアＡ）７０〜９０°にしたことを特徴とするマッサージ用健康器具。
【請求項２】
請求項１記載のマッサージ用健康器具において、
前記足踏み板がゴムまたはポリウレタン製で、硬度がＪＩＳ（ショアＡ）６０±５°であることを特徴とするマッサージ用健康器具。
【請求項３】
請求項１または２記載のマッサージ用健康器具において、
前記足踏み板の内部に合繊布を埋設したことを特徴とするマッサージ用健康器具。
【請求項４】
請求項１〜３のうちのいずれか一項記載のマッサージ用健康器具において、
前記突起が截頭円錐形で、突起の上面が直径６ｍｍ〜１５ｍｍの凸曲面であることを特徴とするマッサージ用健康器具。
【請求項５】
請求項１〜４のうちのいずれか一項記載のマッサージ用健康器具において、
前記突起を足踏み板の足の踵側からつま先側に向かって高さが低くなるように形成したことを特徴とするマッサージ用健康器具。
【請求項６】
請求項１〜５のうちのいずれか一項記載のマッサージ用健康器具において、
前記足踏み板の裏面に滑り防止部が設けられていることを特徴とするマッサージ用健康器具。
【請求項７】
請求項１〜６のうちのいずれか一項記載のマッサージ用健康器具において、
前記足踏み板の表裏面に貫通して形成された複数の水切り用貫通孔を備えていることを特徴とするマッサージ用健康器具。
【請求項８】
請求項７記載のマッサージ用健康器具において、
前記複数の貫通孔のうち少なくとも一部の貫通孔は、リハビリテーション用の運動器具の足踏み部に足踏み板を固定するための固定手段が挿通される孔として用いられることを特徴とするマッサージ用健康器具。
【請求項９】
請求項４記載のマッサージ用健康器具において、
前記足踏み板は無端状のベルトに形成され、一対のローラ間に回転自在に張設されていることを特徴とするマッサージ用健康器具。
【発明の詳細な説明】
【技術分野】
【０００１】
本発明は、足の裏を指圧し刺激を与えるマッサージ用健康器具に関する。
【背景技術】
【０００２】
足裏健康法として、東洋医学においても今日足裏と体内臓器の関連はそれなりに立証され、継続的に適度な刺激を与えることは、健康増進に連なるものと云われている。
【０００３】
このため、例えば、特許文献１〜３等に開示されているように、今日の私たちの生活の中でも様々な足裏マッサージ用の健康器具が提案され、実用化されており、それなりに人々の健康維持に役立っている。
【０００４】
特許文献１に開示されている足裏指圧用ブロックは、足裏形状に形成した樹脂製板体の表面で足裏の土踏まず部分に対応する位置と、足裏の他のツボ部分に対応する位置に複数の突起を設けている。
【０００５】
特許文献２に開示されている足裏指圧用ブロックは、コンクリート製、合成樹脂製等からなるブロックの表面に足裏部分が嵌る形状の凹部を設け、この凹部内に足裏指圧用の突起を複数個設けている。
【０００６】
特許文献３に開示されている足裏指圧器は、ばねによって上方に付勢された複数のロッドを、本体に左右２つのブロック郡に分けてそれぞれ昇降自在に配設し、本体内に設けた受動板をスライドさせることにより、左右のロッド郡を交互に上昇させて足裏を突き上げるようにしている。
【先行技術文献】
【特許文献】
【０００７】
【特許文献１】特開平１０−２７２１６７号公報
【特許文献２】特開平１０−０８２００９号公報
【特許文献３】特開２００５−２６１９０１号公報
【発明の概要】
【発明が解決しようとする課題】
【０００８】
しかしながら、上記した従来の足裏指圧用ブロックや足裏指圧器は、いずれも一長一短があり、未だ改良の余地があった。
すなわち、現代人の足は、靴下や靴で保護しているので、皮膚が柔らかく、自然環境への適応性という点で徐々に退化してきているといえる。にもかかわらず、上記した従来のこの種のマッサージ用健康器具は、プラスチック、木材等の硬質材料で形成され、突起形状においても意外と細く尖っており、実際に素足で踏むと秒単位でしか踏んでいられない程痛さを感じるものが多い。これは、毎日の生活の中で、ほんの僅かな時間でもそれなりに刺激効果が得られるようにしているためである。もとより足裏への刺激は、言い伝えられている局部（ツボ）を両手親指で強弱を付けて押して治療効果を得ていたものであるが、立った姿勢（立位姿勢）で踏むことで同様な効果が期待できることから、一般化したものであろうと考えられる。しかしながら、立位姿勢では足裏に全体重が掛かるので、適正な応力分散ができるように突起の先端形状、間隔、硬度などを十分に配慮して設計する必要がある。
【０００９】
本発明は、上記した従来の問題を解決するためになされたもので、その目的とするところは、足裏に苦痛をともなわず適度な刺激を長時間にわたって与えることができ、足裏の指圧機能を十分に発揮し得るするマッサージ用健康器具を提供することにある。
【課題を解決するための手段】
【００１０】
上記目的を達成するために第１の発明に係るマッサージ用健康器具は、表面に複数個の突起が突設された足踏み板を備え、前記足踏み板を弾性材料によって形成し、前記突起の硬度をＪＩＳ（ショアＡ）７０〜９０°にしたことを特徴とするものである。
【００１１】
第２の発明に係るマッサージ用健康器具は、上記第１の発明において、前記足踏み板がゴムまたはポリウレタン製で、硬度がＪＩＳ（ショアＡ）６０±５°であることを特徴とするものである。
【００１２】
第３の発明に係るマッサージ用健康器具は、上記第１または第２の発明において、前記足踏み板の内部に合繊布を埋設したことを特徴とするものである。
【００１３】
第４の発明に係るマッサージ用健康器具は、上記第１、第２または第３の発明において、前記突起が截頭円錐形で、突起の上面が直径６ｍｍ〜１５ｍｍの凸曲面であることを特徴とするものである。
【００１４】
第５の発明に係るマッサージ用健康器具は、上記第１〜第４の発明のうちのいずれか１つにおいて、前記突起を足踏み板の足の踵側からつま先側に向かって高さが低くなるように形成したことを特徴とするものである。
【００１５】
第６の発明に係るマッサージ用健康器具は、上記第１〜第５の発明のうちのいずれか１つにおいて、前記足踏み板の裏面に滑り防止部を設けたことを特徴とするものである。
【００１６】
第７の発明に係るマッサージ用健康器具は、上記第１〜第６の発明のうちのいずれか１つにおいて、前記足踏み板の表裏面に貫通して形成された複数の水切り用貫通孔を備えていることを特徴とするものである。
【００１７】
第８の発明に係るマッサージ用健康器具は、上記第７の発明において、前記複数の貫通孔のうち少なくとも一部の貫通孔が、リハビリテーション用の運動器具の足踏み部に足踏み板を固定するための固定手段が挿通される孔として用いられることを特徴とするものである。
【００１８】
第９の発明に係るマッサージ用健康器具は、上記第４の発明において、前記足踏み板が無端状のベルトに形成され、一対のローラ間に回転自在に張設されていることを特徴とするものである。
【発明の効果】
【００１９】
第１の発明においては、突起が足裏を指圧して適度な刺激を与え、血液循環を促したり内臓の諸器官を活性化させる。したがって、健康増進効果が得られる。突起の硬度がＪＩＳ（ショアＡ）７０〜９０°であると、立った姿勢で突起を踏みつけたとき、弾性変形することで痛さを和らげ、長時間にわたってマッサージすることができる。硬度がＪＩＳ（ショアＡ）７０以下であると、柔らかすぎて刺激が少なくなり、９０°以上であると硬すぎて刺激が強すぎるため好ましくない。
【００２０】
第２の発明においては、足踏み板の硬度がＪＩＳ（ショアＡ）６０±５°で、突起の硬度に比べて低いため、足踏み板を丸めて持ち運びすることができる。また、足踏み板は、突起が踏みつけられたとき、圧縮されて突起による刺激を和らげる。硬度がＪＩＳ（ショアＡ）５５°以下であると、立った姿勢で突起を踏みつけたとき、足踏み板が柔らかすぎて圧縮量が多くなり、６５°以上であると、硬くなって圧縮量が少なくなるため好ましくない。
【００２１】
第３の発明においては、足踏み板の内部に合繊布を埋設しているので、足踏み板が引き裂かれるおそれがない。
【００２２】
第４の発明においては、突起が截頭円錐形で、上端から下端に向かって直径が大きくなるため、横方向の力が加わっても倒れるおそれが少ない。突起の上面は、直径が６〜１５ｍｍの凸曲面であるため、痛さを感じさせず心地よい刺激を与えることができる。直径が６ｍｍ以下であると、小さくて足裏への刺激が強すぎるため好ましくない。直径が１５ｍｍ以上であると、足裏への刺激が少なすぎて好ましくない。
【００２３】
第５の発明においては、突起が足踏み板の踵側からつま先側に向かって低くなるように形成されているので、立位姿勢での利用に適し、高いマッサージ効果が得られる。
【００２４】
第６の発明においては、滑り防止部を備えているので、足踏み板が滑って移動するのを防止することができる。
【００２５】
第７の発明においては、足踏み板の表面に溜まる水を貫通孔によって裏面側に導いているので、衛生的であるとともに、足踏み板の水切り性を向上させることができる。
【００２６】
第８の発明においては、複数の貫通孔のうち少なくとも一部の貫通孔を利用することにより、マッサージ用健康器具をリハビリテーション用の運動器具の足踏み部に取り付けて使用することができる。
【００２７】
第９の発明においては、リハビリテーション用の運動器具として用いることができる。
【図面の簡単な説明】
【００２８】
【図１】本発明に係るマッサージ用健康器具の一実施の形態を示す斜視図である。
【図２】マッサージ用健康器具の要部の平面図である。
【図３】マッサージ用健康器具の一部を省略して示す側面図である。
【図４】突起のゴム硬度を示す図である。
【図５】マッサージ用健康器具の他の実施の形態を示す一部を省略した側面図である。
【図６】本発明のさらに他の実施の形態を示す側面図である。
【発明を実施するための形態】
【００２９】
以下、本発明を図面に示す実施の形態に基づいて詳細に説明する。
図１〜図４において、マッサージ用健康器具１は、矩形板状の足踏み板２を備え、家庭内の靴を脱いで上がる場所、台所、多人数が利用する温泉施設、大浴場入口、プールサイドや、リハビリテーション用の運動器具などに用いられるものである。
【００３０】
足踏み板２は、ゴム、ポリウレタン等の弾性材料によって形成され、表面２ａに多数の突起３が一体に突設され、下面２ｂには滑り防止部４が設けられ、内部には合繊布５が埋設されている。
【００３１】
足踏み板２がゴムの場合、マッサージ用健康器具１を主として室内で使用するときは、天然ゴムでもよいが、室外で使用するときは、クロロプレンゴム、エチレンプロピレンゴム、クロロスルフォン化ポリエチレンゴム等の耐候性に優れた合成ゴムを用いることが望ましい。また、足踏み板２の硬度は、ＪＩＳ（ショアＡ）で６０±５°にすることが望ましい。この範囲であれば、柔らかいため、足踏み板２を丸めて持ち運びすることができる。また、足踏み板２は、突起３が踏みつけられたとき、圧縮されて突起３による刺激を和らげる。足踏み板２の硬度が５５°以下の場合は、柔らかすぎて圧縮量が多くなるため、突起３による足裏へのマッサージ効果が少なくなるため好ましくない。６６°以上の場合は、硬すぎて圧縮量が少なくなり、突起３による足裏への刺激が強くなりすぎるため好ましくない。
【００３２】
足踏み板２としては、例えば長さおよび幅が、４４５ｍｍ×３４０ｍｍ、５９５ｍｍ×４１５ｍｍ、１４９５ｍｍ×９８５ｍｍの大中小３種類が用意され、使用場所により選択使用される。
【００３３】
また、足踏み板２は、利用者が立位姿勢で利用する場合、利用者の立位姿勢を長時間維持し得るようにするために、足６の踵６ａ側からつま先６ｂ側（進行方向前方側）に向かって厚さが徐々に薄くなるように形成されている。このため、足踏み板２の表面２ａは、足６の踵６ａ側よりつま先６ｂ側に向かって低くなるように傾斜した斜面に形成され、その傾斜角度αが５°前後で、踵６ａ側端の板厚Ｔが１０〜１５ｍｍ程度で、つま先６ｂ側端の板厚Ｓが、足踏み板２の長さにもよるが３〜５ｍｍ程度とされる。足踏み板２の踵６ａ側端の板厚Ｔが１０ｍｍ以下では圧縮量が少なく、突起３による刺激が強くなるため好ましくない。つま先６ｂ側端の厚さＳが１５ｍｍ以上であると、圧縮量が多く、突起３による刺激を和らげすぎて好ましくない。
【００３４】
突起３は、足踏み板２の表面２ａで外周縁部を除く略全面にわたって一体に突設されている。突起３は、大きさが大中小の３種類（３Ａ〜３Ｃ）で、いずれも相似形の截頭円錐形に形成され、上面７が凸曲面に形成されている。また、突起３Ａ〜３Ｃは、規則的に突設されるものと不規則に突設されるもののいずれであってもよい。図２においては、大中小３種類の突起３Ａ、３Ｂ、３Ｃをランダムに突設した例を示している。最も大きい突起３Ａは、上面７が半径４．５ｍｍの凸状の球面に形成されている。中間の突起３Ｂは、上面７が半径３．５ｍｍの凸状の球面に形成されている。最も小さい突起３Ｃは、上面７が半径２．５ｍｍの凸状の球面に形成されている。このように、突起３Ａ〜３Ｃを、截頭円錐形に形成しておくと、横方向の力が加わったときでも突起３Ａ〜３Ｃが倒れるのを防止することができる。
【００３５】
さらに、突起３Ａ、３Ｂ、３Ｃは、足踏み板２の表面２ａに対して垂直にかつ同一突出寸法で突設されてはいるが、表面２ａが足６の踵６ａ側よりつま先６ｂ側に向かって低くなるように傾斜した斜面に形成されていることから、突起３Ａ〜３Ｃも表面２ａに対して足６のつま先６ｂ側に角度α（図３）だけ傾斜している。
【００３６】
図５において、突起３Ａ、３Ｂ、３Ｃの硬度は、ＪＩＳ（ショアＡ）で７０〜９０°程度の範囲で、上端に向かって段階的に高くしている。すなわち、突起３Ａ、３Ｂ、３Ｃの硬度を上端に向かって段階的に高くしておくと、立位姿勢で突起３を踏みつけたとき、下端側が圧縮されて弾性変形し、硬い頂部が足裏に適度な刺激を与えて心地よい感覚を楽しむことができ、長時間にわたってマッサージすることができる。突起３Ａ、３Ｂ、３Ｃの下部の硬度がＪＩＳ（ショアＡ）７０°以下であると、柔らかすぎて刺激が少なくなり、突起の頂部の硬度が９０°以上であると硬すぎて刺激が強すぎるため好ましくない。
【００３７】
本マッサージ用健康器具１は、使用場所を想定すると、平滑な床面が圧倒的に多いと思われる。その床面が濡れた状態であると足踏み板２が滑り、乗った人が転倒するおそれがある。このため、足踏み板２の裏面２ｂ側に滑り防止部４を設け、これにより足踏み板２の滑りを防止するようにしている。滑り防止部４としては、裏面２ｂの略全面に適宜な大きさの凹凸を形成するか、または滑り防止用のパッドを貼着することが考えられる。
【００３８】
合繊布５は、後述する貫通孔１０（１０Ａ、１０Ｂ）によって足踏み板２が引き裂かれたりするのを防止し、足踏み板２の耐久性を向上させるために埋設されている。
【００３９】
足踏み板２には、それぞれ表裏面に貫通する複数個の貫通孔１０（１０Ａ、１０Ｂ）が形成されている。貫通孔１０Ａは、水切り用で、敷設箇所が浴場の湯上がりなどでは、足踏み板２の表面２ａ側で突起３間の谷部分に水が溜まるため、この溜まった水を下面２ｂに導き排水溝に逃がすようにしている。したがって、水切りしながら足裏をマッサージすることができ、また表面２ａ側に溜まる水を下面２ｂ側に逃がすため衛生的である。
【００４０】
貫通孔１０Ｂは、足踏み板２をリハビリテーション用の運動器具、例えばウォーキングマシンの足踏み部に固定したり、床面や地面に敷設するときに用いられるもので、足踏み板２の四隅部と中央部の適宜箇所にそれぞれ形成されており、ボルト、ピン等の固定手段が挿通される。なお、この貫通孔１０Ｂは、足踏み板２がリハビリテーション用の運動器具の足踏み部に固定されず、単に床面上に載置されて使用される場合は、貫通孔１０Ａとともに水切り用として用いられる。
【００４１】
このようなマッサージ用健康器具１を大浴場の入口等、交互歩行する場所で利用する場合は、歩幅が大きくなるので、出入り方向の長さを５０〜９０ｃｍ、横幅については、交互歩行を考えて９０〜１５０ｃｍ程度にすることが好ましい。
【００４２】
図５は、マッサージ用健康器具の他の実施の形態を示す一部を省略した側面図である。この実施の形態のマッサージ用健康器具２０は、板厚が一定な足踏み板２Ａを備えている点で上記したマッサージ用健康器具１と異なり、その他の構造は全く同一であるため、同一構成部分については同一符号をもって示し、その説明を適宜省略する。
【００４３】
足踏み板２Ａは、ゴム製で、上記の足踏み板２と同様に、硬度がＪＩＳ（ショアＡ）で６０±５°とされる。足踏み板２Ａの厚さは、３ｍｍ〜５ｍｍが最適である。３ｍｍ以下では圧縮量が少なく、突起３による刺激を和らげる効果が少なくなるため、好ましくない。５ｍｍ以上であると、圧縮量が多くなり、突起３による刺激を和らげすぎて好ましくない。
【００４４】
突起３は、足踏み板２Ａの表面に垂直に突設されており、高さは全て等しい。
【００４５】
このような構造からなるマッサージ用健康器具２０においても、上記したマッサージ用健康器具１と同様に、足裏に適度な刺激を与えることができ、良好に指圧機能を発揮することができる。
【００４６】
なお、本マッサージ用健康器具１、２０は、素足、または靴下を履いた状態で踏むことを考えると、主として室内利用が中心となることが想定される。したがって、製品色調については、環境との調和を考え、好みの配色とすることが好ましい。
【００４７】
図６は、本発明のさらに他の実施の形態を示す側面図である。
この実施の形態は、マッサージ用健康器具をリハビリテーション用の運動器具３０として用いるようにしたもである。このリハビリテーション用運動器具３０は、図５に示した足踏み板２Ａを無端状のベルトとし、一対のローラ３１、３１間に回転自在に張設することにより、ウォーキングマシンとして利用するようにしている。合繊布５としては、ベルト基布（例えば、ポリエステル）が用いられる。その他の構造は図５に示した実施の形態と同一である。
【００４８】
このようなリハビリテーション用運動器具３０によれば、運動機能向上のためのトレーニングをしながら足裏マッサージ効果も得られる。
【産業上の利用可能性】
【００４９】
本発明に係るマッサージ用健康器具は、浴場、一般家庭、リハビリテーション用の健康器具などに用いられるものに限らず、例えば遊歩道の路面に敷設して使用することも可能である。
【符号の説明】
【００５０】
１…マッサージ用健康器具、２…足踏み板、３、３Ａ〜３Ｃ…突起、４…滑り防止部、５…合繊布、１０、１０Ａ、１０Ｂ…貫通孔、２０…マッサージ用健康器具、３０…リハビリテーション用の運動器具、３１…ローラ。
【図１】
2011161163.tif 000003
【図２】
2011161163.tif 000004
【図３】
2011161163.tif 000005
【図４】
2011161163.tif 000006
【図５】
2011161163.tif 000007
【図６】
2011161163.tif 000008